【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、
それぞれの前記錠剤シートの錠剤の収容数と、前記錠剤シートが収容する錠剤とを対応付けて記憶する記憶手段と、
処方データに含まれる錠剤、及び当該錠剤の処方数を取得する取得手段と、
前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを特定する特定手段と、
前記特定手段による特定結果を通知する通知手段と
を備えることを特徴とする情報処理装置。
【請求項２】
前記特定手段は、前記第１の錠剤シートを用いて前記処方数分の錠剤を供給した場合に、当該第１の錠剤シートに残存する錠剤数と、前記第２の錠剤シートを用いて前記処方数分の錠剤を供給した場合に、当該第２の錠剤シートに残存する錠剤数のうち、より残存する錠剤が少ない錠剤シートを前記錠剤の供給に用いると特定することを特徴とする請求項１に記載の情報処理装置。
【請求項３】
前記特定手段は、前記第１の錠剤シートを用いて前記処方数分の錠剤を供給した場合に、当該第１の錠剤シートに残存する錠剤数と、前記第２の錠剤シートを用いて前記処方数分の錠剤を供給した場合に、当該第２の錠剤シートに残存する錠剤数とが同じ数である場合に、より錠剤の収容数が少ない錠剤シートを前記錠剤の供給に用いると特定することを特徴とする請求項１または２に記載の情報処理装置。
【請求項４】
前記通知手段は、前記特定手段により特定された錠剤の供給に用いる錠剤シートの情報を、前記特定結果として通知することを特徴とする請求項１乃至３のいずれか１項に記載の情報処理装置。
【請求項５】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、
それぞれの前記錠剤シートの錠剤の収容数と、前記錠剤シートが収容する錠剤とを対応付けて記憶する記憶手段と、
処方データに含まれる錠剤、及び当該錠剤の処方数を取得する取得手段と、
前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを選択して設定する設定手段と、
前記設定手段による設定結果を通知する通知手段と
を備えることを特徴とする情報処理装置。
【請求項６】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置の制御方法であって、
処方データに含まれる錠剤、及び当該錠剤の処方数を取得する取得工程と、
前記取得工程で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを特定する特定工程と、
前記特定工程による特定結果を通知する通知工程と
を備えることを特徴とする情報処理装置の制御方法。
【請求項７】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置で読み取り実行可能なプログラムであって、
前記情報処理装置を、
処方データに含まれる錠剤、及び当該錠剤の処方数を取得する取得手段と、
前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを特定する特定手段と、
前記特定手段による特定結果を通知する通知手段と
して機能させることを特徴とするプログラム。
【請求項８】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置の制御方法であって、
処方データに含まれる錠剤、及び当該錠剤の処方数を取得する取得工程と、
前記取得工程で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを選択して設定する設定工程と、
前記設定工程による設定結果を通知する通知工程と
を備えることを特徴とする情報処理装置の制御方法。
【請求項９】
錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置で読み取り実行可能なプログラムであって、
前記情報処理装置を、
処方データに含まれる錠剤、及び当該錠剤の処方数を取得する取得手段と、
前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを選択して設定する設定手段と、
前記設定手段による設定結果を通知する通知手段と
して機能させることを特徴とするプログラム。
【手続補正２】
【補正対象書類名】明細書
【補正対象項目名】発明の名称
【補正方法】変更
【補正の内容】
【発明の名称】情報処理装置、情報処理装置の制御方法及びプログラム
【手続補正３】
【補正対象書類名】明細書
【補正対象項目名】０００１
【補正方法】変更
【補正の内容】
【０００１】
本発明は、情報処理装置、情報処理装置の制御方法及びプログラムに関する。
【手続補正４】
【補正対象書類名】明細書
【補正対象項目名】０００５
【補正方法】変更
【補正の内容】
【０００５】
本発明は、収容する錠剤の種類は同じであるが１枚当たりの錠剤の収容数が異なる複数の錠剤シートを有効に活用して、錠剤供給装置から錠剤を供給することが可能な仕組みを提供することを目的とする。
【手続補正５】
【補正対象書類名】明細書
【補正対象項目名】０００６
【補正方法】変更
【補正の内容】
【０００６】
本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、それぞれの前記錠剤シートの錠剤の収容数と、前記錠剤シートが収容する錠剤とを対応付けて記憶する記憶手段と、処方データに含まれる錠剤、及び当該錠剤の処方数を取得する取得手段と、前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを特定する特定手段と、前記特定手段による特定結果を通知する通知手段とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御する情報処理装置であって、それぞれの前記錠剤シートの錠剤の収容数と、前記錠剤シートが収容する錠剤とを対応付けて記憶する記憶手段と、処方データに含まれる錠剤、及び当該錠剤の処方数を取得する取得手段と、前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを選択して設定する設定手段と、前記設定手段による設定結果を通知する通知手段とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置の制御方法であって、処方データに含まれる錠剤、及び当該錠剤の処方数を取得する取得工程と、前記取得工程で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを特定する特定工程と、前記特定工程による特定結果を通知する通知工程とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置で読み取り実行可能なプログラムであって、前記情報処理装置を、処方データに含まれる錠剤、及び当該錠剤の処方数を取得する取得手段と、前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを特定する特定手段と、前記特定手段による特定結果を通知する通知手段として機能させることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置の制御方法であって、処方データに含まれる錠剤、及び当該錠剤の処方数を取得する取得工程と、前記取得工程で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを選択して設定する設定工程と、前記設定工程による設定結果を通知する通知工程とを備えることを特徴とする。また、本発明は、錠剤を収容する第１の錠剤シートと、前記第１の錠剤シートと収容する錠剤は同じであるが１枚当たりの錠剤の収容数が異なる第２の錠剤シートとから錠剤を供給可能な錠剤供給装置を制御し、それぞれの前記錠剤シートの錠剤の収容数と、前記錠剤シートが収容する錠剤とを対応付けて記憶する記憶手段を備える情報処理装置で読み取り実行可能なプログラムであって、前記情報処理装置を、処方データに含まれる錠剤、及び当該錠剤の処方数を取得する取得手段と、前記取得手段で取得した錠剤及び当該錠剤の処方数と、前記記憶手段により当該錠剤と対応付けて記憶する各錠剤シートの錠剤の収容数とを用いて、前記第１の錠剤シートと前記第２の錠剤シートのいずれの錠剤シートを当該錠剤の供給に用いるかを選択して設定する設定手段と、前記設定手段による設定結果を通知する通知手段として機能させることを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明により、収容する錠剤の種類は同じであるが１枚当たりの錠剤の収容数が異なる複数の錠剤シートを有効に活用して、錠剤供給装置から錠剤を供給することが可能な仕組みを提供することが可能となる。